(57)【特許請求の範囲】
【請求項１】
情報を電気的メモリカードとやり取りするための装置であって、挿入トラックに沿って読み取り位置へ前記メモリカードを挿入するための空間を有するハウジングと、前記挿入トラックに対して垂直に移動可能であって前記メモリカード上にある電気的接触部と共動するための電気的接触部を有するキャリアとを具備し、前記メモリカードが前記読み取り位置にあるとき前記キャリアの前記接触部が前記メモリカードの前記接触部と接触する装置において、前記メモリカードがないとき付勢力の影響により前記キャリアが極限位置にあり且つ前記キャリアの前記接触部が前記装入トラック内にあり、前記メモリカードの通過中は前記メモリカードにより前記付勢力に抗して前記キャリアが前記挿入トラックの外に移動可能であることを特徴とする装置。
【請求項２】
請求項１に記載の装置において、前記キャリアが前記挿入トラックに対して斜めに延在する当接表面を持ち、前記メモリカードの前記通過中は前記当接表面と前記メモリカードとの共動で前記メモリカードにより前記キャリアが移動可能であることを特徴とする装置。
【請求項３】
請求項１又は２に記載の装置において、前記付勢力が機械的ばねにより発生されることを特徴とする装置。
【請求項４】
請求項１乃至３の何れか１項に記載の装置において、前記キャリアが前記ハウジング内の二つの平行なスロット内を前記キャリアの各側面に対応して設けられる二つのピンによりガイドされ、これらのスロットが前記挿入トラックに対して垂直に延在することを特徴とする装置。
【請求項５】
請求項１乃至４の何れか１項に記載の装置において、前記キャリアが前記ハウジングの主壁内の開口部に位置され、当該主壁が前記挿入トラックと平行に延在することを特徴とする装置。
【請求項６】
請求項３に記載の装置において、
前記キャリアが前記ハウジングの主壁内の開口部に位置され、当該主壁が前記挿入トラックと平行に延在し、
前記機械的ばねが、前記挿入トラックと平行に延在し、前記主壁に固着される板ばねである
ことを特徴とする装置。
【請求項７】
請求項１乃至４に記載の装置と、電気的部品を持つプリント回路基板とを具備するカーラジオにおいて、前記挿入トラックと平行に延在する前記装置の前記ハウジングの主壁が前記プリント回路基板と平行に延在し且つ該基板に固着されることを特徴とするカーラジオ。
【請求項８】
請求項５又は６に記載の装置と、電気的部品を持つプリント回路基板とを具備するカーラジオにおいて、前記装置の前記主壁が前記回路基板と平行に延在し且つ該回路基板に固着され、前記主壁内の前記開口部が前記回路基板内の他の開口部と隣接し、前記キャリアが当該両方の開口部に位置されることを特徴とするカーラジオ。
【請求項９】
請求項７又は８に記載のカーラジオにおいて、前記回路基板が前記カーラジオのハウジングの壁と隣接し且つ平行であって、前記装置が前記ハウジングの壁と前記回路基板との間に位置されることを特徴とするカーラジオ
【発明の詳細な説明】
背景技術
技術分野
本発明は、挿入トラックに沿ってメモリカードを読み取り位置へ挿入するための空間を有するハウジングと、前記挿入トラックに対して横断的に移動可能であって前記メモリカード上の電気的接触部と共動するための電気的接触部を有するキャリヤとを具備し、前記メモリカードが前記読み取り位置にあるとき前記キャリヤの前記接触部が前記メモリカードの前記接触部と接触するような、情報を電気的メモリカードとやり取りするための装置に関する。
本発明は、また本発明に従う装置を具備するカーラジオにも関する。
関係ある従来技術の説明
冒頭に述べられた種類の装置は、ヨーロッパ特許公報338900号から既知であり、集積電子回路を有する部品を具備するメモリカードと情報をやり取りするのに適している。既知の装置において、電気的接触部を持つキャリヤが前記メモリカードの挿入トラックに平行に延在し弾力的に変形するアームに固着されている。当該アームの両端のうちの一つの端部が前記ハウジングに固着されていて、一方当該アームのもう一つの端部は前記メモリカード用の止めを具備している。メモリカードがないとき、前記キャリヤは前記挿入トラックからいくらか離れていて、前記アームはそのとき変形されていない。メモリカードが挿入されている間、当該メモリカードの前端部が前記挿入トラックに対して斜めに延在する止めの当接表面と接触する。前記メモリカードと前記当接表面との共動により弾性的に前記アームを変形させ、これにより前記キャリヤは前記メモリカードに向かって移動し、前記キャリヤ接触部は前記メモリカード接触部と接触する。
既知の装置の欠点は、装置が実質的に同じ厚さを持つメモリカードとだけ情報をやりとりするのに適しているということである。キャリヤの電気的接触部の弾性的変形により、前記メモリカードの厚さに対して適応される許容差は比較的狭い。既知の装置は、強く逸脱した厚さの部品を具備するメモリカードには適さない。比較的に薄いメモリカードでは、前記接触部間の接触力は不充分であるか又は当該接触がうまくいかないし、一方比較的厚いメモリカードでは、接触力があまりにも大きいので、前記接触部は損傷するか又は前記メモリカードはキャリヤと前記止めとの間に合いさえしない。既知の装置の他の欠点は、メモリカードの前端部が前記読み取り位置内の前記止めにより永続的に機械的荷重がなされるので、メモリカードの変形又は損傷が生じるだろうということである。
発明の目的及び概要
本発明の目的は、異なる厚さを持つ電気的メモリカードと情報をやり取りするのに適した冒頭に述べられた型の装置を提供することである。
この目的のため本発明は、メモリカードがないときキャリヤが付勢力の影響により極限位置にあり、そのときキャリヤの接触部は挿入トラック内にあり、一方前記メモリカードの通過中前記メモリカードにより前記付勢力に抗して前記キャリヤが前記トラック外に移動可能であるということを特徴としている。挿入中前記メモリカードが前記キャリヤに近づくとき、前記メモリカードが前記キャリヤを通過し読みとり位置に達する距離にわたって、前記キャリヤは前記メモリカードにより動かされる。前記メモリカードの通過中、前記キャリヤの接触部は前記付勢力により決められた一定の接触力で前記メモリカードと接触し、一方前記メモリカードが前記読み取り位置に達したとき前記キャリヤの接触部は前記メモリカードの接触部と接触する。前記キャリヤが前記メモリカードにより移動される距離が前記メモリカードの厚さにより決まるので、前記キャリヤは自動的に前記メモリカードの読み取り位置内にある前記メモリカードの厚さに応じた位置にある。本発明の他の利点は、前記キャリヤが移動する間だけ前記メモリカードに機械的に荷重がかかるということである。前記読み取り位置内において、前記メモリカードは前記接触力とは別に荷重されない。
本発明による装置の実施例は、キャリヤが挿入トラックに対して斜めに延在する当接表面を持ち、メモリカードの通過中前記メモリカードと前記当接表面との共動を通じて前記メモリカードにより当該キャリヤが移動可能であるということを特徴とする。前記当接表面の使用は、装置が前記キャリヤの移動のための他の手段を含む必要がないということを意味するので、当該装置は最少数の部品で簡易且つ実践的な構造を持つ。
本発明による装置の他の実施例は、付勢力が機械的ばねによりもたらされるということを特徴とする。適度な機械的堅さを持つ機械的ばねの使用は、前記キャリヤの位置に実質的に無関係となる付勢力を提供する。前記接触部間の接触力は前記メモリカードの厚さに実質的に無関係に提供される。
本発明による装置のさらに他の実施例は、前記キャリヤがハウジング内の二つの平行なスロット内を前記キャリヤの各側面上に対応して設けられた二つのピンによりガイドされ、当該スロットが挿入トラックに対して横断的に延在することを特徴とする。当該ピンによる前記ハウジング内の前記キャリヤのガイドは、前記ピンを通じて延在するピボット軸の周りに前記キャリヤを旋回させる。これにより、前記メモリカードの厚さが製造の許容差により単一でなくても、前記ピボット軸の周りの旋回を通じて前記キャリヤが前記メモリカードの表面と並ぶということが達成される。
本発明による装置の他の実施例は、キャリヤがハウジング内の主壁内にある開口部内に位置され、当該壁が挿入トラックと平行に延在することを特徴とする。当該開口部の使用が、前記挿入トラックに垂直な方向での当該装置の特に小さな寸法を提供する。このように前記装置は、例えばカーラジオ、又は携帯電話のような比較的小さな部屋空間の器械に使用するのに卓越して適している。
本発明による装置の他の実施例は、機械的ばねが挿入トラックと実質的に平行に延在し且つ主壁に固着される板ばねであることを特徴とする。
この板ばねは、前記挿入トラックに対して垂直な方向において無視できるぐらいの小さな寸法をもつので、前記板ばねは当該方向における装置の寸法に関して何の逆効果も持たない。
本発明による装置と電子部品を持つプリント回路基板とを具備するカーラジオは、前記挿入トラックと平行に延在する当該装置のハウジングの主壁が前記プリント回路基板と平行に延在し且つ該基板に固着されることを特徴とする。前記回路基板に関する装置のこのような配置及び固着は、当該装置がカーラジオ内に比較的小さな空間を占めるという結果をもつので、車の装置パネル内の取り付け可能性の面から一定の制限内になければならない前記カーラジオの寸法は当該装置の存在により影響ができるだけ小さくなる。
装置のキャリヤが挿入トラックと平行に延在するハウジングの主壁内の開口部内に配されている本発明による装置と電子部品を持つプリント回路基板とを具備するカーラジオは、当該装置の前記主壁が前記回路基板と平行に延在し且つ該基板に固着され、前記主壁内の前記開口部が前記回路基板内の他の開口部と隣接し、一方前記キャリヤが両方の開口部内に位置されるということを特徴とする。当該装置の前記キャリヤを収容するための前記回路基板内の前記他の開口部の使用が、カーラジオ内の装置に必要とされる部屋空間をさらに減らす。加えて、前記キャリヤの電気的接触部は、比較的短い電気ワイヤにより前記他の開口部を通じて前記回路基板と結合可能である。
本発明によるカーラジオの実施例は、回路基板がカーラジオのハウジングの壁に実質的に平行であって隣接して配され、当該装置が前記壁と前記回路基板との間に位置されることを特徴とする。前記回路基板と前記壁との間に普通あって必要であり、前記回路基板上に搭載される部品により部分的に占められる隙間が当該装置の組み込みに対して利用されるので、当該装置の存在はカーラジオハウジングの寸法に影響を与えない。
【図面の簡単な説明】
本発明は、図を参照して以下に詳細に述べられる。図１は本発明による装置の第１実施例の平面図であり、図２は図１のラインII−II上にとられた断面図であり、図３は電気的メモリカードがないときの図１の装置に設けられたカーラジオの立面図であり、図４は電気メモリカードがあるときの図３のカーラジオを示し、図５は図１の装置と共動するのに適した電気メモリカードを示し、図６は本発明による装置の第２実施例の平面図であり、図７は図６による装置を具備するカーラジオの立面図である。
発明の好ましい実施に形態
図１から図４に示された本発明による装置の第１実施例は、片側に電気的メモリカード７のための挿入開口部５を持つ平坦な箱形のハウジング３を有する。図１及び図２が示すように、前記ハウジング３は当該ハウジング３の側壁を形成する曲がり部11、13及び15を持つ金属底板９を有する。前記ハウジング３は、例えば締め付け接合又はスクリュー接合により前記側壁11、13、15間と固着する合成樹脂の上部プレート17を有する。前記底板９及び前記上部プレート17各々は、前記ハウジング３の主壁を形成し、一方前記側壁11、13、15各々は、前記底板９及び前記上部プレート17の表面領域と比較して小さい表面領域を持つ。
図１及び図２に示されるように、装置１は、前記底板９及び前記上部プレート17に平行な方向を示す前記ハウジング３の縦方向Ｘに、前記底板９と前記上部プレート17との間をスライドできるプレート形状の金属キャリッジ19を有する。前記キャリッジ19は四個の曲がりタグ21を具備し前記縦方向Ｘに平行に延在する前記上部プレート17内の四個のスロット23内の前記タグ21によりガイドされる。二個の機械的ばね25は前記キャリッジ19と前記挿入開口部５と反対側の前記側壁13との間に固着される。電気的メモリカードがないとき、前記キャリッジ19は前記ばね25の付勢の影響により図１に示されるように極限位置にあり、前記キャリッジ19のその位置部分は前記ハウジング３の外側に出ている。
図１、図２及び図３に見られるように、長方形開口部27は直立壁29により囲まれる前記上部プレート17内に設けられる。８個の電気的接触部33を具備するキャリア31は前記開口部27内に配される。前記電気的接触部33各々は、弾性的に変形可能な銅タング35を有し、フレキシブルなプラスチックフォイル37内にはめ込まれた電気的導電体を介して（図示されてない）電気的情報処理器と各々結合される。図１及び図２に示されるように、前記キャリヤ31は、当該キャリヤ31の各側に対応して各々配される二つのピン39を有する。前記キャリヤ31は、前記上部プレート17に垂直に延在し且つ前記直立壁29内に設けられた二つの平行なスロット41内のピン39によりガイドされる。前記キャリヤ31は、前記上部プレート17に垂直なＹ方向にこのようにして移動可能であり、一方前記キャリヤ31は二個のピン39を通じて延在するピボット軸43の周りに旋回もできる。
図２及び図３に見えるように、前記キャリヤ31は、電気的メモリカードがないならば機械的板ばね45の付勢力の影響により極限位置にあり、前記キャリヤ31の前記ピン39は前記スロット41のそれぞれの端にある。前記キャリヤ31のこの極限位置において、前記キャリヤ31の電気的接触部33は、電気的メモリカードが以下に述べられるようなやり方で前記装置内に挿入されることができる、図３内の破線で示される挿入トラック47内にある。前記機械的板ばね45は、前記直立壁29内の二個の互いに反対側にあるくぼみ51内の端部二ヵ所に固着される横断ストリップ49を有する。前記板ばね45は、前記キャリヤ31上にあって前記横断ストリップ49に対して横断的に延在する多数のタング53をさらに有する。
図３及び図４に示されるように、前記装置１は電気的メモリカード７の挿入のために前記底板９、前記上部プレート17及び前記側壁11、13、15により囲まれた空間55を有する。図５が示すように、前記メモリカード７は、集積化された電気回路を持つ部品57と前記部品57の電気的入出力部に接続される８個の電気的接触部59とを有する。このようなメモリカードは、例えば長さＬが85.6mm、幅Ｂが53.98mm及び厚さが0.76mmを持つISO規格7810に従うメモリカードのような電気的接触部59に対する標準化された寸法と標準化された位置とを通常持つ。前記メモリカード７が前記キャリッジ19を通過する間、前記メモリカード７は、ユーザにより前記挿入開口部５を通じて前記空間55へ運ばれる。上述の前記挿入トラック47は、前記キャリッジ19に実質的に平行に延在する表面によりこのように形成され、前記キャリッジ19と前記挿入トラック47との間の距離は前記メモリカード７の近似的に半分の厚さである。
図３が示すように、前記キャリヤ31は前記挿入トラック47に対して斜めに延在する当接表面61を持つ。前記メモリカード７が上述のやり方で前記空間55に挿入されるとき、前記メモリカード７の前端部63は前記当接表面61と接触し、前記キャリヤ31は、前記メモリカード７が前記キャリヤ31を通過できる距離に対応して前記Ｙ方向と平行に前記メモリカード７により移動される。前記キャリヤ31は、前記キャリヤ31の前記当接表面61と前記メモリカード７の前記前端部63との共動を通じて前記板ばね45の付勢力に抗して、前記メモリカード７により前記挿入トラック47の外にこのように移動され、その後前記キャリヤ31の前記電気的接触部33は、前記板ばね45の付勢力により決められる一定の接触力により前記メモリカード７と接触する。
前記メモリカード７が前記空間55内にその後さらに挿入されるとき、前記メモリカード７の前記前端部63は図１及び図４に示される前記キャリッジ19の止め65と接触する。これにより前記メモリカード７を持った前記キャリッジ19は、前記ばね25の付勢に抗して前記Ｘ方向に平行に図４に示される読み取り位置へ移動され、前記キャリヤ31の前記電気的接触部33が前記メモリカード７の電気的接触部59と接触する。前記メモリカード７の前記読み取り位置において、前記キャリッジ19は、前記上部プレート17に設けられたハート型のスロット69と、前記ハート型のスロット69内を移動可能であって前記キャリッジ19に固着されるスタッド75の周りを旋回可能であるピボット片73上に設けられたブロックピン71とを有する図１に示されるブロッキング機構67により、前記Ｘ方向にブロックされる。メモリカードと情報のやり取りをするための装置内のこのようなブロッキング機構の使用及び操作は、ヨーロッパ特許公報336330号の図８に示される。
前記読み取り位置内にある前記メモリカード７で、前記部分57は前記情報処理器に電気的に接続されるので、前記部品57内に蓄えられたデータは読みとられ、又は新しいデータが前記部品57内に蓄えられる。前記メモリカード７との情報のやり取りが終了したとき、ユーザは、前記読み取り位置内の前記挿入開口部５からまだ突き出ている前記メモリカード７の一部を前記空間55内へ押し出すことにより、前記装置１から前記メモリカード７を取り出す。これは、前記ブロッキング機構67を解放するので、前記キャリッジ19及び前記メモリカード７は前記ブロッキング機構67から自由になり、前記ばね25の付勢の影響により前記空間55から図３に示される前記極限位置へ移動し、この位置において、ユーザは前記メモリカード７を前記装置１から取り出せる。前記メモリカード７を取り出す間前記メモリカード７の前記前端部63が前記当接表面61を通過するとき、前記キャリヤ31が、前記板ばね45の付勢の影響により図３に示される前記極限位置へ戻るということに注意されたい。
上述のように、前記キャリヤ31は、前記メモリカード７の挿入の間前記メモリカード７が前記キャリヤ31を通過することができる距離にわたって前記メモリカード７により移動する。前記メモリカード７により前記キャリヤ31が移動する距離は、前記メモリカード７の厚さに依存する。前記メモリカード７の挿入の際、前記キャリヤ31が前記メモリカード７の厚さに応じた位置に運ばれることが達成されるので、前記装置１は異なる厚さのメモリカードと共動するのに適し、前記装置１と結合する前記情報処理器はいろいろな目的のために使える。前記メモリカードの厚さは、なかんずく前記メモリカード内にある電子部品の寸法により決められる。このようにメモリカードは、上述のISO規恪7810によるメモリカードの長さ及び幅と一致する長さ及び幅を持ち商業的に利用可能であるが、この厚さは存在する電子部品に依存して1.5mmまでである。
上述のキャリヤ31の構造の使用は、前記装置１に最小数の電子部品を持つ特別に簡易な構造を与える。前記ピン39及び前記板ばね45は、前記ハウジング３に関して前記キャリヤ31のための簡易且つ信頼性あるガイドを与える。前記キャリヤ31が前記ピボット軸43の周りを旋回できるので、前記キャリヤ31は前記板ばね45の付勢の影響により前記メモリカード７の表面と自動的に揃うだろう。前記電気的接触部33、59の信頼性ある接触は、例えば製造許容差のため単一の厚さを持たないメモリカードの場合にもこのように提供される。
前記メモリカード７の前端部63は、前記メモリカード７による前記キャリヤ31の移動中機械的に荷重される。この前端部63上の機械的荷重は、しかしながら、前記挿入トラック47に対する前記当接表面61の傾斜の角度を最適化することにより最小化される。前記メモリカード７の前記読み取り位置において、前記キャリッジ19は前記ブロッキング機構67により前記Ｘ方向にロックされ、前記メモリカード７は前記接触部33、59間の接触力を除いては機械的に荷重されない。機械的荷重による前記メモリカード７の変形又は損傷の危険性は、このようにしてできるだけ小さくなる。前記接触部33、59間の接触力は前記板ばね45の前記付勢力により決められる。前記板ばね45のタング53は、図３に示される前記キャリヤ31の極限位置では、比較的大きな弾性的変形を持つ。前記板ばね45の付勢力は前記キャリヤ31の移動の際わずかに増大するだけなので、前記接触部33、59間の接触力は前記メモリカード７の厚さにできるだけ少ししか依存しないということが、前記タング53の適当な機械的堅さを通じてこのように達成される。
前記Ｙ方向における前記装置１の寸法は、前記キャリヤ31の寸法によりかなりの部分決定されることは注意されたい。前記キャリヤ31は前記上部プレート17内の前記開口部27内に配されるので、前記装置１の寸法は前記Ｙ方向に関して最小の寸法になるまで減らされる。上述の装置１は、前記Ｙ方向に前記メモリカード７の最大可能な厚さの数倍の寸法をこのように持つ。前記板ばね45は前記Ｙ方向に無視できるほど小さい寸法を持ち、前記Ｙ方向において前記装置１の寸法に悪影響をこのように持たないということは注意されたい。以下に述べるように、前記装置１は比較的小さい部屋空間を持つ器械に対しての使用及び組み込みに卓越して適している。
図３及び図４は、上述のような装置１を具備するカーラジオ77を示す。示されている前記カーラジオ77内の前記装置１は多機能的使用を持つ。例えば、安全カードが前記装置１により読みとられる前記カーラジオ77は、前記安全カードのデータが前記カーラジオ77内に蓄積された前記カーラジオ77の所有者の身元データと一致しているときだけ使用できるので、例えば盗難後前記カーラジオ77は安全カードなしには使えない。異なるタイプのメモリカードは、前記装置１内で使用でき、前記カーラジオを通じて自動的に受信した交通情報を当該カードに蓄えることが可能なので、ユーザは始めにこの情報を聞き逃したならば、後でこの情報を聞くことができる。
図３及び図４が示すように、前記カーラジオ77は金属ハウジング79と多数のコントロール83を持つフロントパネル81とを有する。プリント回路基板85は、前記カーラジオ77のハウジング79内にあり、前記基板85上の電気的接続トラックにより相互接続される前記カーラジオ77の多数の電気的及び／又は電子的部品87を載せる。前記プリント回路基板85は、前記ハウジング79の底壁89近くに位置され、当該底壁89に平行に延在する。通常の且つ必要なすき間91が前記底壁89と前記回路基板85との間にあり、当該すき間は図には表されていない前記回路基板85の裏面に搭載される部品によって部品的に占められる。前記装置の前記上部プレート17が前記回路基板85と平行に延在されて該基板に固着されるように、前記装置１は前記すき間91内に配され、一方前記底板９は前記底壁89上にある。前記上部プレート17内の開口部27は前記回路基板85内に設けられた他の開口部93と隣接するので、前記装置１の前記キャリヤ31は隣接している開口部27及び93内に配される。前記装置１の前記挿入開口部５は、前記フロントパネル81内のスロット形状の開口部95と隣接する。前記キャリヤ31の前記接続部33と接続される電気的導体を持つフォイル37は、前記カーラジオ77の（図示されてない）情報処理器と接続されるソケット99とプラグ97とにより結合される。前記キャリヤ31は前記隣り合う開口部27及び93を通じて延在するので、前記フォイル37は迂回路なしに前記ソケット99と結合され、前記フォイル37は比較的短い長さを持つ。前記フォイル37は、前記プリント回路基板85内の対応する接続トラックと直接はんだづけされてもよいことに注意されたい。
上述のやり方で前記装置１が前記カーラジオ77の前記プリント回路基板85に対して配されるということで、前記カーラジオ77内に占める前記装置１の空間は比較的に小さい。前記基板85内の前記開口部93に位置される前記キャリヤ31により、前記底壁89と前記回路基板85との間の必要な部屋空間が、もはや前記メモリカード７の可能性ある最大厚さの近似的に２倍以上とはならない。前記装置１の前記必要な部屋空間がとても小さいので、前記部屋空間は前記底壁89と前記回路基板85との間の前記通常且つ必要なすき間91により提供され、車の装置パネル内への組み込み可能性の面から一定の制限内になければならない前記カーラジオ77の前記ハウジング79の寸法は、前記ハウジング79内の前記装置１の存在により影響されない。
図６及び図７は、本発明による第２の実施例の装置101を示す。当該装置101の構造は、主な特徴に関するかぎり図１乃至図４に示された装置１の構造と同一である。図７に見えるように、図３及び図４に示された前記カーラジオ77内の前記装置１の組み込みのやり方に対応して、前記装置101はカーラジオ103内に組み込むのに適している。前記カーラジオ77の装置１の部分と対応する前記カーラジオ103の装置101の部分は、同じ参照番号が与えられる。
図６及び図７に示されるように、前記装置１の前記キャリッジ19、前記機械的ばね25及び前記ブロッキング機構67は、前記装置101内で前記装置101のユーザにより空間55の外にある旋回可能なハンドル107により前記空間55へ移動可能なスライド105と置き換えられる。この目的のため、前記装置１の前記キャリッジ19のように、前記スライド105は、前記縦方向Ｘに平行に延在する前記上部プレート17内の４個のスロット111にガイドされる４個のタグ109を具備する。メモリカード７を前記装置101に挿入するために、ユーザは前記スライド105を前記空間55外の極限位置へ移動させなければならず、前記タグ109は挿入開口部５に対面する前記スロット111の端部に運ばれる。前記スライド105がこの位置にあるとき、前記メモリカード７は前記スライド105上を移動してもよい。前記メモリカード７は、前記スライド105が前記空間55へ移動することに関して前記装置１の接触の仕方と対応するやり方で前記キャリヤ31と接触する。図６及び図７が示すように、前記ハンドル107は、前記カーラジオ103の前記フロントパネル81に設けられたスナップリム115と共動するスナップ接合113を持つ。前記メモリカード７が前記読み取り位置にあるときは、前記スライド105が前記ハンドル107の回転により簡易なやり方でこのようにロックされる。
前記当接表面61のかわりに、他の手段が前記装置１、101で用いられてもよく、これにより前記キャリヤ31は前記メモリカード７の通過中前記メモリカード７により置き換えられるということに注意されたい。このように前記装置１、101は、例えば前記挿入トラック47に配され且つアームを介して前記キャリヤ31と結合されたカムか、又は前記キャリヤ31と結合されたアーム内に回転してジャーナルされるガイドホイールを有してもよい。
前記板ばね45により供給される付勢力は、例えば異なる種類の機械的ばね又は前記キャリヤ31と前記上部プレート17との間に具備される例えば合成ゴムの弾力性ある層のような他の手段により提供されてもよい。
前記キャリヤ31は、前記装置１、101内の前記挿入トラック47に実質的に垂直に移動可能である。前記メモリカード７の前記読み取り位置内の前記接触部33、59の相互の位置が前記メモリカード７の厚さに依存しないということが、これにより達成される。前記メモリカード７の前記接触部59の表面領域が一定の許容差をもっていても、前記接触部33、59の前記相互の位置の小さな偏差は容認されるべきである。したがって、前記挿入トラック47と垂直な前記キャリヤ31のガイドのかわりに、前記キャリヤ31のガイドが前記挿入トラック47と垂直に小さな角度（例えば５度から10度より小さい角度）をもっても可能である。「前記挿入トラックに横断的に移動可能な」という前記表現は、従ってこの可能性をも含むように選ばれた。前記二つのピン39及び前記スロット41のかわりに、前記キャリヤをガイドするための他の手段が、例えば前記ハウジングに関してジャーナルするアームと回転的に前記キャリヤ31が結合するような構造で使用可能であるということに注意されたい。
例えば前記ハウジングの中心面に配される回路基板を持つカーラジオのように、異なる位置にプリント回路基板85を持つカーラジオに使用されるときも、前記装置１、101は小さい部屋空間だけを必要とするということは注意されたい。前記カーラジオの寸法は、このようなカーラジオにおいても前記装置１、101の存在により影響を受けないか又は実質的に影響を受けない。前記装置１、101の前記キャリヤ31が前記プリント回路基板内の他の開口部内に配されていなくても、要求される部屋空間は小さい。前記装置１、101は、好みに応じてさらに前記プリント回路基板85の上下両方にあってもよい。
本発明による装置は、例えば携帯電話、クレジットカード支払いユニット、住所登録ユニット又は道路料金ユニットのような異なるタイプの器械に組み込まれるのにも適していることを最後に述べておく。特にこのような器械又は自動ユニットが比較的小さく規定された大きさ、又はこのような器械及び自動ユニットがなかんずく異なる厚さを持つ異なるタイプのメモリカードと共動するのに適すべきであるとき、本発明による装置の特徴及び長所は特に明らかになるだろう。
【図１】
0003648529.tif 000002
【図２】
0003648529.tif 000003
【図５】
0003648529.tif 000004
【図３】
0003648529.tif 000005
【図４】
0003648529.tif 000006
【図６】
0003648529.tif 000007
【図７】
0003648529.tif 000008